(57)【特許請求の範囲】
【請求項１】
手術用顕微鏡の顕微鏡本体の接眼部に配設された接眼鏡筒と、
前記接眼部に配設された接眼レンズを保持し、前記接眼鏡筒に対して前記接眼レンズの光軸方向に移動可能に支持されたレンズホルダと、
前記接眼レンズの光軸の軸回り方向に回動可能に支持された円筒状の回動部材と、
内端部が前記回動部材に固定され、外端部が前記接眼鏡筒に周方向に沿って延設されたガイド溝を介して前記接眼鏡筒の外側に延出された視度調整用の操作レバーと、
前記操作レバーが前記ガイド溝に沿って前記接眼鏡筒の周方向に回動する動作時に前記操作レバーと一緒に前記接眼レンズの光軸の軸回り方向に回動する前記回動部材の回転動作を前記レンズホルダの軸方向の移動動作に変換する変換機構と、
前記レンズホルダに沿って前記接眼部に対して突没可能に支持されたアイシェードと、
前記接眼レンズの光軸の軸方向に沿って移動可能に支持され、前端部が前記アイシェードに固定されたスライド部材と、
前記接眼鏡筒における前記アイシェードから前記接眼レンズの光軸方向に離れた位置に配置された前記アイシェードの高さ調整用の操作部と、
前記操作部の操作によって前記スライド部材を前記接眼レンズの光軸の軸方向に沿ってスライド駆動する駆動機構と、
前記顕微鏡本体に装着され、前記顕微鏡本体の全体をカバーする滅菌カバーと、
前記滅菌カバーに形成され、前記接眼部における前記接眼鏡筒と対応する部分を開口した開口部と、
前記滅菌カバーの前記開口部の近傍部位を前記接眼鏡筒に固定するドレープ固定具と、
を具備し、
前記視度調整用の操作レバーと前記アイシェードの高さ調整用の操作部とを前記レンズホルダおよび前記アイシェードから前記接眼レンズの光軸方向に離れた位置で、かつ前記滅菌カバーが装着されている部分の内側に配置したことを特徴とする手術用顕微鏡装置。
【発明の詳細な説明】
【０００１】
【発明の属する技術分野】
本発明は、顕微鏡本体に接眼部が配設された手術用顕微鏡装置に関する。
【０００２】
【従来の技術】
一般に、例えば手術用顕微鏡として使用される顕微鏡装置では図７（Ａ）に示すように顕微鏡本体ａ全体をカバーする状態で滅菌カバーであるドレープｂが装着されている。このドレープｂは顕微鏡本体ａ全体を緩く覆う状態でカバーされている。
【０００３】
また、顕微鏡本体ａには接眼部ｃが配設されている。この接眼部ｃには接眼レンズの視度調整を行う視度調整装置（例えば、実公昭６０−４１５３２号公報参照）や、外光が観察者の目と接眼レンズｅとの間から接眼レンズｅの内部に侵入することを防止するアイシェード（例えば、特開平９−２２２５６９号公報参照）などの可動部材が組み込まれたものがある。
【０００４】
図７（Ａ）は接眼部ｃに視度調整装置と、アイシェードとが組み込まれた顕微鏡装置を示すものである。この顕微鏡装置の接眼部ｃには図７（Ｂ）に示すように筒状のレンズホルダｄに保持された接眼レンズｅが配設されている。ここで、顕微鏡本体ａ側には接眼レンズ取付け穴ｆが形成されている。この接眼レンズ取付け穴ｆの内周面には雌ねじ部ｆ１が形成されている。さらに、レンズホルダｄの外周面には接眼レンズ取付け穴ｆの雌ねじ部ｆ１に螺合する雄ねじ部ｄ１が形成されている。そして、レンズホルダｄの回転操作にともない図７（Ｃ）に示すようにレンズホルダｄの雄ねじ部ｄ１が接眼レンズ取付け穴ｆの雌ねじ部ｆ１に沿って螺進動作して接眼レンズｅが光軸方向に移動されて視度調整が行われるようになっている。
【０００５】
さらに、レンズホルダｄの外端面には略リング状のアイシェード取付け穴ｇが接眼レンズｅの光軸方向に沿って延設されている。このアイシェード取付け穴ｇには略円筒状のアイシェードｈが接眼レンズｅの光軸方向に沿って移動自在に挿入されている。ここで、アイシェード取付け穴ｇの内周壁面には雄ねじ部ｇ１が形成されている。また、アイシェードｈの内周面にはアイシェード取付け穴ｇの雄ねじ部ｇ１に螺合する雌ねじ部ｈ１が形成されている。そして、アイシェードｈの回転操作にともない図７（Ｃ）に示すようにアイシェードｈの雌ねじ部ｈ１がアイシェード取付け穴ｇの雄ねじ部ｇ１に沿って螺進動作してアイシェードｈが接眼レンズｅの光軸方向に移動されてアイシェードｈの高さ（突出量）の調整が行われるようになっている。
【０００６】
ところで、手術用顕微鏡では図７（Ａ）に示すように顕微鏡本体ａの接眼部ｃの一部、すなわち観察者が顕微鏡画像を観察する接眼レンズｅの部分のみが外部に露出され、それ以外の部分はドレープｂでカバーされている。ここで、ドレープｂには接眼レンズｅの部分を外部に露出させるための開口部ｂ１が形成されている。そして、このドレープｂの開口部ｂ１の近傍部位が例えばゴムバンドなどのドレープ固定具ｉによって顕微鏡本体ａの接眼部ｃに固定されている。
【０００７】
【発明が解決しようとする課題】
上記従来構成のものにあっては接眼部ｃの接眼レンズｅの視度調整を行う場合にはレンズホルダｄを回転させる操作が必要になる。同様に、アイシェードｈの高さ調整を行う場合にはアイシェードｈを回転させる操作が必要になる。しかしながら、レンズホルダｄや、アイシェードｈは接眼部ｃの接眼レンズｅを覗く使用者の目に近い位置に配置されているので、使用者が実際に接眼部ｃの接眼レンズｅを覗きながらレンズホルダｄを回転させる操作や、アイシェードｈを回転させる操作が行い難い問題がある。
【０００８】
さらに、手術の途中で術者が入れ代わる場合があり、そのような場合は従来の手術用顕微鏡では接眼部ｃの接眼レンズｅの視度調整を行う際にレンズホルダｄを回転させる操作を行う部分や、アイシェードｈの高さ調整を行う際にアイシェードｈを回転させる操作を行う部分はドレープｂの外側の滅菌されていない非滅菌域に配置されているので、接眼部ｃのレンズホルダｄや、アイシェードｈなどを術者が直接操作する場合にはその操作後に手袋を交換するなどの面倒な操作が必要になる。そのため、手術時間が長くなるなどの問題がある。
【０００９】
また、接眼部ｃのレンズホルダｄや、アイシェードｈなどを術者が直接操作することなく、術者以外の助手などに接眼部ｃのレンズホルダｄや、アイシェードｈなどの操作を行わせる場合にはその操作を的確に指示することが難しく、術者の望みの状態に調整するまでに時間がかかる。また、術者によっては、自分に適切に調整されていない状態でも、我慢してそのまま使用する場合も少なくない。そのため、この場合も手術時間が長くなりやすい問題がある。
【００１０】
したがって、上記従来構成のものにあっては例えば手術中に接眼部ｃにおける接眼レンズｅの視度調整や、アイシェードｈの高さ調整などの操作が行い難いので、接眼部ｃを使用者に応じて適正な観察状態に迅速に調整することが難い問題がある。
【００１１】
本発明は上記事情に着目してなされたもので、その目的は、接眼部における視度調整や、アイシェードなどの操作が行い易く、使用者に応じて適正な観察状態に迅速に調整することができる手術用顕微鏡装置を提供することにある。
【００１２】
【課題を解決するための手段】
請求項１の発明は、手術用顕微鏡の顕微鏡本体の接眼部に配設された接眼鏡筒と、前記接眼部に配設された接眼レンズを保持し、前記接眼鏡筒に対して前記接眼レンズの光軸方向に移動可能に支持されたレンズホルダと、前記接眼レンズの光軸の軸回り方向に回動可能に支持された円筒状の回動部材と、内端部が前記回動部材に固定され、外端部が前記接眼鏡筒に周方向に沿って延設されたガイド溝を介して前記接眼鏡筒の外側に延出された視度調整用の操作レバーと、前記操作レバーが前記ガイド溝に沿って前記接眼鏡筒の周方向に回動する動作時に前記操作レバーと一緒に前記接眼レンズの光軸の軸回り方向に回動する前記回動部材の回転動作を前記レンズホルダの軸方向の移動動作に変換する変換機構と、前記レンズホルダに沿って前記接眼部に対して突没可能に支持されたアイシェードと、前記接眼レンズの光軸の軸方向に沿って移動可能に支持され、前端部が前記アイシェードに固定されたスライド部材と、前記接眼鏡筒における前記アイシェードから前記接眼レンズの光軸方向に離れた位置に配置された前記アイシェードの高さ調整用の操作部と、前記操作部の操作によって前記スライド部材を前記接眼レンズの光軸の軸方向に沿ってスライド駆動する駆動機構と、前記顕微鏡本体に装着され、前記顕微鏡本体の全体をカバーする滅菌カバーと、前記滅菌カバーに形成され、前記接眼部における前記接眼鏡筒と対応する部分を開口した開口部と、前記滅菌カバーの前記開口部の近傍部位を前記接眼鏡筒に固定するドレープ固定具と、を具備し、前記視度調整用の操作レバーと前記アイシェードの高さ調整用の操作部とを前記レンズホルダおよび前記アイシェードから前記接眼レンズの光軸方向に離れた位置で、かつ前記滅菌カバーが装着されている部分の内側に配置したことを特徴とする手術用顕微鏡装置である。
そして、本請求項１の発明では、接眼レンズの視度調整用の操作レバーをレンズホルダから接眼レンズの光軸方向に離れた位置に配置し、この操作レバーの回動操作時に回動部材の回動動作にともない変換機構によって回動部材の回動動作を接眼レンズの光軸方向に沿って平行移動するレンズホルダの平行移動動作に変換させることにより、接眼レンズが光軸方向に移動して接眼レンズの視度調整が行われる。そのため、接眼部の接眼レンズの視度調整時には使用者が実際接眼部の接眼レンズを覗いている目の位置から離れた位置で操作レバーを回動させる操作を行うことができるので、従来に比べて接眼部の接眼レンズの視度調整の操作が行い易く、使用者に応じて適正な観察状態に迅速に調整することができる。
また、視度調整用の操作レバーは滅菌カバーが装着されている部分の内側に配置され、手術中に接眼レンズの視度を調整する場合には滅菌カバーを介して操作レバーに接触する状態で操作レバーを回動操作するようにしているので、滅菌域の術者が非滅菌域の操作レバーを滅菌カバーの上から直接的に操作することができる。そのため、接眼レンズの視度調整時に術者が操作レバーを操作した後に手袋を交換するなどの面倒な操作が不要になるので、接眼レンズの視度調整の操作が行い易く、使用者に応じて適正な観察状態に迅速に調整することができ、手術時間を短縮するうえで大きな効果がある。
さらに、視度調整用の操作レバーの操作時にレンズホルダを接眼レンズの光軸方向に沿って平行移動させるようにしたので、視度調整時に接眼レンズが回転することを防止することができる。これにより、例えば、略矩形状の接眼レンズのような異形状レンズを配設した場合でも視度調整時に異形状レンズが回転することなく、視度調整を行うことができる。
さらに、アイシェードを接眼レンズの光軸方向に沿って平行にスライド移動する駆動機構によるアイシェード駆動機構を設けたので、アイシェードの高さ調整時にもアイシェードが接眼レンズの軸回り方向に回転することを防止することができる。そのため、アイシェードの高さ調整時に左右のアイシェードの位置が接眼レンズの軸回り方向に回転することを防止することができる。
また、アイシェードの高さ調整用の操作部は滅菌カバーが装着されている部分の内側に配置され、手術中にアイシェードの高さを調整する場合には滅菌カバーを介して操作部に接触する状態で操作部を回転操作するようになっているので、滅菌域の術者が非滅菌域の操作部を滅菌カバーの上から直接的に操作することができる。そのため、アイシェードの高さ調整時に術者が操作部を操作した後に手袋を交換するなどの面倒な操作が不要になるので、アイシェードの高さ調整の操作が行い易く、使用者に応じて適正な観察状態に迅速に調整することができ、手術時間を短縮するうえで大きな効果がある。その結果、顕微鏡本体の全体をカバーする滅菌カバーが装着される手術用顕微鏡の接眼部における視度調整や、アイシェードなどの操作が行い易く、使用者に応じて適正な観察状態に迅速に調整するようにしたものである。
【００２０】
【発明の実施の形態】
以下、本発明の第１の実施の形態を図１乃至図３を参照して説明する。図１は手術用顕微鏡１全体の概略構成を示すものである。この手術用顕微鏡１の架台２には、床面を移動可能なベース３と、このベース３上に立設された支柱４とが設けられている。
【００２１】
さらに、支柱４の上部には、手術用顕微鏡１の鏡体（顕微鏡本体）５を任意の方向に移動可能に支持するアーム部６が設けられている。このアーム部６には複数の可動アームが設けられている。ここで、各可動アーム間は回転軸を中心に回転自在に連結されている。
【００２２】
また、アーム部６の各回転軸における軸受部には図示しない電磁ブレーキが各々設けられている。この電磁ブレーキは、例えば鏡体５に一体に固定されたグリップに設けられた図示しないスイッチによってオンオフ操作されるようになっている。そして、電磁ブレーキのオフ操作時には、アーム部６がロック解除状態で保持される。これにより、鏡体５が３次元的に移動可能で、空間的に自由に位置調整を行うことにより、術者が術部を所望の角度から観察することができるようになっている。さらに、電磁ブレーキがオン操作された場合にはアーム部６がロック状態に切換えられ、鏡体５の位置固定が行われるようになっている。なお、手術用顕微鏡１には、患者の術部を照らすための顕微鏡光源３２が内蔵されている。
【００２３】
また、手術用顕微鏡１の鏡体５には図２に示すように接眼部７が設けられている。この接眼部７には左右一対（両眼）の接眼鏡筒８が設けられている。なお、これらの左右の接眼鏡筒８は略同一構成になっているので、ここでは一方の接眼鏡筒８の構成を説明し、他方は同一の符号を付してその説明を省略する。
【００２４】
この接眼鏡筒８には接眼レンズユニット９が挿入される接眼レンズ取付け穴１０が形成されている。この接眼レンズ取付け穴１０の内周面には小径部１０ａと、この小径部１０ａよりも入り口側に配置された大径な雌ねじ部１０ｂとが形成されている。
【００２５】
また、接眼レンズユニット９には略円筒状のレンズホルダ（可動部材）１１が設けられている。このレンズホルダ１１の内部には先端側に複数のレンズが組み合わされた接眼レンズ１２が配設されている。
【００２６】
さらに、レンズホルダ１１の外周面には接眼レンズ１２の光軸方向の略中央位置に大径なフランジ部１３が突設されている。このフランジ部１３の外周面には接眼レンズ取付け穴１０の雌ねじ部１０ｂと螺合する雄ねじ部１３ａが形成されている。そして、このレンズホルダ１１の雄ねじ部１３ａと、接眼レンズ取付け穴１０の雌ねじ部１０ｂとの螺合部によって接眼レンズ１２の視度調整用ねじ（移動手段）１４が形成されている。これにより、レンズホルダ１１の回転操作にともないレンズホルダ１１の雄ねじ部１３ａが接眼レンズ取付け穴１０の雌ねじ部１０ｂに沿って螺進動作して接眼レンズ１２を光軸方向に移動させるようになっている。したがって、レンズホルダ１１の雄ねじ部１３ａと、接眼レンズ取付け穴１０の雌ねじ部１０ｂとの螺合部によってレンズホルダ１１の回転動作をこのレンズホルダ１１の軸方向の移動動作に変換して視度調整を行う位置調整機構（変換機構）が形成されている。
【００２７】
また、レンズホルダ１１の基端部側は接眼レンズ取付け穴１０の小径部１０ａを通り、さらに接眼レンズ取付け穴１０の内部側（奥側）に延出されている。そして、このレンズホルダ１１の基端部側の外周面には駆動力伝達用の第１の平歯車１５が形成されている。
【００２８】
また、接眼鏡筒８には接眼レンズ１２の視度調整用ねじ１４を操作する視度調整用の操作つまみ（操作部）１６が配設されている。この操作つまみ１６はレンズホルダ１１から接眼レンズ１２の光軸方向に離れた位置に配置されている。
【００２９】
さらに、この操作つまみ１６とレンズホルダ１１との間には操作つまみ１６の操作力を接眼レンズ１２の視度調整用ねじ１４に伝達する歯車機構（操作力伝達手段）１７が設けられている。ここで、操作つまみ１６の回転軸１６ａは接眼鏡筒８に貫挿され、回転自在に支持されている。そして、操作つまみ１６はこの回転軸１６ａの一端部（外端部）に固定されている。
【００３０】
また、歯車機構１７には回転軸１６ａの他端部（内端部）に固定された第１の傘歯車１８が設けられている。この第１の傘歯車１８には第２の傘歯車１９が噛合されている。この第２の傘歯車１９は接眼鏡筒８の内壁面に突設された軸受部２０に回転自在に軸支された回転軸２１の一端部に固定されている。この回転軸２１は接眼レンズ１２の光軸方向と平行に配置されている。
【００３１】
また、回転軸２１の他端部にはレンズホルダ１１の第１の平歯車１５に噛合する第２の平歯車２２が固定されている。この第２の平歯車２２は第１の平歯車１５よりも歯幅が小さくなるように設定されている。そして、操作つまみ１６の回転操作時には回転軸１６ａを介して第１の傘歯車１８が同時に回転駆動されるようになっている。さらに、この第１の傘歯車１８の回転に連動して第１の傘歯車１８と第２の傘歯車１９との噛合部を介して回転軸２１が回転駆動され、この回転軸２１の回転が第２の平歯車２２と第１の平歯車１５との噛合部を介してレンズホルダ１１側に伝達されてレンズホルダ１１が軸回り方向に回転駆動されるようになっている。このとき、レンズホルダ１１の回転にともないこのレンズホルダ１１の雄ねじ部１３ａが接眼レンズ取付け穴１０の雌ねじ部１０ｂに沿って螺進動作して接眼レンズ１２を光軸方向に移動させて視度調整を行うようになっている。そして、これらの操作つまみ１６の回転軸１６ａと、第１の傘歯車１８と、第２の傘歯車１９と、回転軸２１と、第２の平歯車２２と、第１の平歯車１５とによって操作つまみ１６の操作力を接眼レンズ１２の視度調整用ねじ１４に伝達する視度調整用の歯車機構１７が形成されている。
【００３２】
また、レンズホルダ１１の先端部には外光が観察者の目と接眼レンズ１２との間から接眼レンズ１２の内部に侵入することを防止するアイシェード２３が配設されている。ここで、レンズホルダ１１の先端部外周面にはアイシェード取付け用の雄ねじ部２４が形成されている。
【００３３】
また、アイシェード２３には略円筒状のアイシェード本体２５の先端部にフランジ状の目当て部２６が突設されている。さらに、アイシェード本体２５の内周面にはレンズホルダ１１の雄ねじ部２４と螺合する雌ねじ部２７が形成されている。そして、このアイシェード２３の雌ねじ部２７と、レンズホルダ１１の雄ねじ部２４との螺合部によってアイシェード２３の高さ（突出量）の調整用ねじ２８が形成されている。これにより、アイシェード２３の回転操作にともないこのアイシェード２３の雌ねじ部２７がレンズホルダ１１の雄ねじ部２４に沿って螺進動作してアイシェード２３を接眼レンズ１２の光軸方向に移動させるようになっている。
【００３４】
また、図１に示すように本実施の形態の手術用顕微鏡１には、この顕微鏡１の本体全体をカバーする滅菌カバーであるドレープ２９が装着されている。このドレープ２９には、図３に示すように手術用顕微鏡１の鏡体５の接眼部７における左右の接眼鏡筒８と対応する部分を開口した開口部３０が形成されている。そして、このドレープ２９の開口部３０の近傍部位が例えばゴムバンドなどのドレープ固定具３１によって接眼部７の接眼鏡筒８に固定されている。ここで、視度調整用の操作つまみ１６はドレープ２９の装着部の内側に配置されている。そして、手術中に接眼レンズ１２の視度を調整する場合にはドレープ２９を介して操作つまみ１６に接触する状態で操作つまみ１６を回転操作するようになっている。
【００３５】
次に、上記構成の作用について説明する。本実施の形態の手術用顕微鏡１の使用時に接眼部７の接眼レンズ１２の視度調整を行う場合には接眼鏡筒８の視度調整用の操作つまみ１６を回転操作する。このとき、顕微鏡１の本体全体は滅菌カバーであるドレープ２９によってカバーされているので、ドレープ２９を介して操作つまみ１６に接触する状態で操作つまみ１６が回転操作される。
【００３６】
そして、この操作つまみ１６の回転操作時には回転軸１６ａを介して第１の傘歯車１８が同時に回転駆動される。さらに、この第１の傘歯車１８の回転に連動して第１の傘歯車１８と第２の傘歯車１９との噛合部を介して回転軸２１が回転駆動され、この回転軸２１の回転が第２の平歯車２２と第１の平歯車１５との噛合部を介してレンズホルダ１１側に伝達されてレンズホルダ１１が軸回り方向に回転駆動される。このとき、レンズホルダ１１の回転にともないこのレンズホルダ１１の雄ねじ部１３ａが接眼レンズ取付け穴１０の雌ねじ部１０ｂに沿って螺進動作して接眼レンズユニット９全体が接眼レンズ１２の光軸方向に移動する。これにより、接眼レンズ１２が光軸方向に移動して接眼レンズ１２の視度調整が行われる。
【００３７】
また、アイシェード２３の高さを調整する場合にはこのアイシェード２３が回転操作される。このとき、アイシェード２３の回転操作にともないこのアイシェード２３の雌ねじ部２７がレンズホルダ１１の雄ねじ部２４に沿って螺進動作してアイシェード２３全体が接眼レンズ１２の光軸方向に移動する。これにより、アイシェード２３の高さ調整が行われる。
【００３８】
そこで、上記構成のものにあっては次の効果を奏する。すなわち、本実施の形態では接眼レンズ１２の視度調整用の操作つまみ１６を接眼レンズユニット９のレンズホルダ１１から接眼レンズ１２の光軸方向に離れた位置に配置し、操作つまみ１６と接眼レンズユニット９のレンズホルダ１１との間に操作つまみ１６の操作力を視度調整用ねじ１４に伝達する歯車機構１７を設けたので、接眼部７の接眼レンズ１２の視度調整時には使用者が実際に接眼部７の接眼レンズ１２を覗いている目の位置から離れた位置で操作つまみ１６を回転させる操作を行うことができる。そのため、従来に比べて接眼部７の接眼レンズ１２の視度調整の操作が行い易く、使用者に応じて適正な観察状態に迅速に調整することができる。
【００３９】
また、本実施の形態では視度調整用の操作つまみ１６はドレープ２９の装着部の内側に配置され、手術中に接眼レンズ１２の視度を調整する場合にはドレープ２９を介して操作つまみ１６に接触する状態で操作つまみ１６を回転操作するようになっているので、滅菌域の術者が非滅菌域の操作つまみ１６をドレープ２９の上から直接的に回転操作することができる。そのため、接眼レンズ１２の視度調整時に術者が操作つまみ１６を回転操作した後に手袋を交換するなどの面倒な操作が不要になるので、接眼レンズ１２の視度調整の操作が行い易く、使用者に応じて適正な観察状態に迅速に調整することができ、手術時間を短縮するうえで大きな効果がある。
【００４０】
また、図４および図５は本発明の第２の実施の形態を示すものである。本実施の形態は第１の実施の形態（図１乃至図３参照）の手術用顕微鏡１の接眼部７の構成を次の通り変更したものである。なお、これ以外の部分は第１の実施の形態の手術用顕微鏡１と同一構成になっており、第１の実施の形態の手術用顕微鏡１と同一部分には同一の符号を付してここではその説明を省略する。
【００４１】
すなわち、本実施の形態では第１の実施の形態の視度調整用の操作つまみ１６に代えて図４に示すように接眼鏡筒８の周方向に沿って約１８０°程度回動する操作レバー４１が設けられている。この操作レバー４１は図５に示すように接眼鏡筒８の筒内に回動自在に保持されたリング状の回動部材４２の外周面に突設されている。この回動部材４２の内周面には接眼レンズ１２の軸回り方向の回転量に対して接眼レンズ１２の光軸方向の移動量が大きいヘリコイドねじの雌ねじ部４３が形成されている。
【００４２】
また、接眼レンズユニット９のレンズホルダ１１の基端部側外周面には回動部材４２の雌ねじ部４３と螺合する雄ねじ部４４が形成されている。そして、このレンズホルダ１１の雄ねじ部４４と、回動部材４２の雌ねじ部４３との間のヘリコイドねじの螺合部によって接眼レンズ１２の視度調整用ねじ（移動手段）４５が形成されている。
【００４３】
さらに、接眼鏡筒８の外周面には回動部材４２の操作レバー４１の回動動作をガイドするガイド溝４６と、レンズホルダ１１の回動動作を規制する長溝４７とが設けられている。ここで、ガイド溝４６は接眼鏡筒８の周方向に沿って約１８０°程度延設されている。なお、長溝４７は接眼鏡筒８の軸方向に沿って延設されている。
【００４４】
また、レンズホルダ１１の先端部側外周面には回転規制ピン４８が突設されている。この回転規制ピン４８は接眼鏡筒８の長溝４７内に挿入されている。そして、操作レバー４１の回動動作時にはこの操作レバー４１と一緒に回動部材４２が回動動作する。このとき、レンズホルダ１１は回転規制ピン４８と接眼鏡筒８の長溝４７との係合部によって回転動作が規制されている。そのため、回動部材４２の回動動作時にはレンズホルダ１１の雄ねじ部４４と、回動部材４２の雌ねじ部４３との間のヘリコイドねじの螺合部を介して回動部材４２の回動動作が接眼レンズ１２の光軸方向に沿って平行移動するレンズホルダ１１の平行移動動作に変換されて接眼レンズ１２を光軸方向に移動させるようになっている。
【００４５】
また、本実施の形態の接眼レンズユニット９にはレンズホルダ１１の先端部に図４に示すように円形状の接眼レンズ１２の上下部を切欠させた略平面状の切欠部４９が形成された略矩形状の異形状レンズ５０が配設されている。そして、左右に並べた２つの（両眼）の接眼鏡筒８の各異形状レンズ５０は同方向に向けて配置され、人間の目の位置に合わせた状態に設定されている。
【００４６】
さらに、本実施の形態のアイシェード２３には目当て部２６の部分に外側に向けて延設された延設部５１が形成されている。そして、観察者が接眼部７に目を当てた場合には左右のアイシェード２３の各延設部５１によって観察者の顔の両側部分からの外光の侵入が防止されるようになっている。
【００４７】
次に、上記構成の本実施の形態の作用について説明する。本実施の形態では手術用顕微鏡１の使用時に接眼部７の接眼レンズ１２の視度調整を行う場合には接眼鏡筒８の視度調整用の操作レバー４１を接眼鏡筒８の周方向に沿って回動操作する。このとき、顕微鏡１の本体全体は滅菌カバーであるドレープ２９によってカバーされているので、ドレープ２９を介して操作レバー４１に接触する状態で操作レバー４１が回動操作される。
【００４８】
そして、この操作レバー４１の回動操作時にはこの操作レバー４１と一緒に回動部材４２が回動動作する。このとき、レンズホルダ１１は回転規制ピン４８と接眼鏡筒８の長溝４７との係合部によって回転動作が規制されているため、回動部材４２の回動動作時にはレンズホルダ１１の雄ねじ部４４と、回動部材４２の雌ねじ部４３との間のヘリコイドねじの螺合部を介して回動部材４２の回動動作が接眼レンズ１２の光軸方向に沿って平行移動するレンズホルダ１１の平行移動動作に変換される。これにより、接眼レンズ１２が光軸方向に移動して接眼レンズ１２の視度調整が行われる。
【００４９】
そこで、上記構成のものにあっては次の効果を奏する。すなわち、本実施の形態では接眼レンズ１２の視度調整用の操作レバー４１を接眼レンズユニット９のレンズホルダ１１から接眼レンズ１２の光軸方向に離れた位置に配置し、この操作レバー４１の回動操作時には回動部材４２の回動動作にともないレンズホルダ１１の雄ねじ部４４と、回動部材４２の雌ねじ部４３との間のヘリコイドねじの螺合部である視度調整用ねじ４５を介して回動部材４２の回動動作を接眼レンズ１２の光軸方向に沿って平行移動するレンズホルダ１１の平行移動動作に変換させることにより、接眼レンズ１２が光軸方向に移動して接眼レンズ１２の視度調整が行われるようにしたものである。そのため、本実施の形態でも接眼部７の接眼レンズ１２の視度調整時には使用者が実際に接眼部７の接眼レンズ１２を覗いている目の位置から離れた位置で操作レバー４１を回動させる操作を行うことができるので、従来に比べて接眼部７の接眼レンズ１２の視度調整の操作が行い易く、使用者に応じて適正な観察状態に迅速に調整することができる。
【００５０】
また、本実施の形態では視度調整用の操作レバー４１はドレープ２９の装着部の内側に配置され、手術中に接眼レンズ１２の視度を調整する場合にはドレープ２９を介して操作レバー４１に接触する状態で操作レバー４１を回動操作するようになっているので、滅菌域の術者が非滅菌域の操作レバー４１をドレープ２９の上から直接的に操作することができる。そのため、接眼レンズ１２の視度調整時に術者が操作レバー４１を操作した後に手袋を交換するなどの面倒な操作が不要になるので、接眼レンズ１２の視度調整の操作が行い易く、使用者に応じて適正な観察状態に迅速に調整することができ、手術時間を短縮するうえで大きな効果がある。
【００５１】
さらに、本実施の形態では視度調整用の操作レバー４１の操作時に接眼レンズユニット９のレンズホルダ１１を接眼レンズ１２の光軸方向に沿って平行移動させるようにしたので、視度調整時に接眼レンズ１２が回転することを防止することができる。例えば、撮像素子に撮像された略矩形状の像を接眼レンズ１２を介して観察する際には、接眼レンズ１２の断面形状が円形よりも矩形の方がより適している場合がある。つまり、図４に示すように、略矩形状の異形状レンズ５０を配設した場合である。この場合は、アイシェード２３も高さ調整後はレンズホルダ１１と一体的に接眼レンズ１２の光軸方向に沿って平行移動させることができるので、視度調整をしても各延設部５１は常に目の左右側方に位置することができる。
【００５２】
また、本実施の形態では接眼レンズ１２の視度調整時には操作レバー４１を接眼鏡筒８の周方向に沿って約１８０°程度回動する動作によって行われるので、視度調整用の操作つまみ１６を回転操作する場合に比べてその操作をさらに簡素化することができ、使いやすくすることができる効果がある。
【００５３】
また、図６は本発明の第３の実施の形態を示すものである。本実施の形態は第２の実施の形態（図４および図５参照）の手術用顕微鏡１の接眼部７の構成を次の通り変更したものである。なお、これ以外の部分は第１の実施の形態および第２の実施の形態の手術用顕微鏡１と同一構成になっており、第１の実施の形態および第２の実施の形態の手術用顕微鏡１と同一部分には同一の符号を付してここではその説明を省略する。
【００５４】
すなわち、本実施の形態では第２の実施の形態の接眼部７の構成にアイシェード２３を接眼レンズ１２の光軸方向に沿って平行にスライド移動するアイシェード駆動機構６１を設けたものである。
【００５５】
このアイシェード駆動機構６１にはアイシェード２３の高さ調整用の操作つまみ（操作部）６２が設けられている。この操作つまみ６２は接眼鏡筒８におけるアイシェード２３から接眼レンズ１２の光軸方向に離れた位置に配置されている。さらに、この操作つまみ６２はドレープ２９の装着部の内側に配置され、手術中にアイシェード２３の高さを調整する場合にはドレープ２９を介して操作つまみ６２に接触する状態で操作つまみ６２を回転操作するようになっている。
【００５６】
また、この操作つまみ６２とアイシェード２３との間には操作つまみ６２の操作によってアイシェード２３を接眼レンズ１２の光軸方向に沿ってスライド駆動するリンク機構（操作力伝達手段）６３が設けられている。このリンク機構６３には接眼鏡筒８に接眼レンズ１２の光軸方向に移動自在に支持されたロッド状のガイド部材６４が設けられている。このガイド部材６４の一端部にはアイシェード２３が固定されている。なお、本実施の形態のアイシェード２３は接眼鏡筒８に接眼レンズ１２の光軸方向に移動自在に支持されている。
【００５７】
また、操作つまみ６２の回転軸６２ａは接眼鏡筒８に貫挿され、回転自在に支持されている。そして、操作つまみ６２はこの回転軸６２ａの一端部（外端部）に固定されている。さらに、操作つまみ６２の回転軸６２ａには送りねじ６５が形成されている。
【００５８】
さらに、この送りねじ６５にはナット部材６６が螺着されている。そして、送りねじ６５の回転時にはナット部材６６が送りねじ６５の軸方向に移動されるようになっている。
【００５９】
また、ナット部材６６にはリンク機構６３のリンクアーム６７の一端部が回動可能に連結されている。このリンクアーム６７の他端部はガイド部材６４の中途部に回動可能に連結されている。そして、操作つまみ６２の回転操作時にはこの操作つまみ６２と一緒に送りねじ６５が回転駆動される。さらに、この送りねじ６５の回転にともないナット部材６６が送りねじ６５の軸方向に移動される。そして、このナット部材６６の移動に連動してリンクアーム６７を介してガイド部材６４が接眼レンズ１２の光軸方向に移動され、このガイド部材６４によってアイシェード２３が接眼レンズ１２の光軸方向に移動されてアイシェード２３の高さ調整が行われるようになっている。
【００６０】
次に、上記構成の作用について説明する。本実施の形態では手術用顕微鏡１の使用時に接眼部７の接眼レンズ１２の視度調整を行う場合には接眼鏡筒８の視度調整用の操作レバー４１を接眼鏡筒８の周方向に沿って回動操作する。このとき、顕微鏡１の本体全体は滅菌カバーであるドレープ２９によってカバーされているので、ドレープ２９を介して操作レバー４１に接触する状態で操作レバー４１が回動操作される。これにより、第２の実施の形態と同様に接眼レンズ１２が光軸方向に移動して接眼レンズ１２の視度調整が行われる。
【００６１】
また、アイシェード２３の高さを調整する場合にはアイシェード２３の高さ調整用の操作つまみ６２が回転操作される。この操作つまみ６２の回転操作時にはこの操作つまみ６２と一緒に送りねじ６５が回転駆動され、この送りねじ６５の回転にともないナット部材６６が送りねじ６５の軸方向に移動される。そして、このナット部材６６の移動に連動してリンクアーム６７を介してガイド部材６４が接眼レンズ１２の光軸方向に移動され、このガイド部材６４によってアイシェード２３が接眼レンズ１２の光軸方向に移動されてアイシェード２３の高さ調整が行われる。
【００６２】
そこで、上記構成のものにあっては次の効果を奏する。すなわち、本実施の形態では接眼レンズ１２の視度調整用の操作レバー４１を接眼レンズユニット９のレンズホルダ１１から接眼レンズ１２の光軸方向に離れた位置に配置し、この操作レバー４１の回動操作にともない第２の実施の形態と同様に接眼レンズ１２が光軸方向に移動して接眼レンズ１２の視度調整が行われるようにしたので、本実施の形態でも接眼部７の接眼レンズ１２の視度調整時には使用者が実際に接眼部７の接眼レンズ１２を覗いている目の位置から離れた位置で操作レバー４１を回動させる操作を行うことができ、従来に比べて接眼部７の接眼レンズ１２の視度調整の操作が行い易く、使用者に応じて適正な観察状態に迅速に調整することができる。
【００６３】
また、本実施の形態でも視度調整用の操作レバー４１はドレープ２９の装着部の内側に配置され、手術中に接眼レンズ１２の視度を調整する場合にはドレープ２９を介して操作レバー４１に接触する状態で操作レバー４１を回動操作するようになっているので、滅菌域の術者が非滅菌域の操作レバー４１をドレープ２９の上から直接的に操作することができる。そのため、接眼レンズ１２の視度調整時に術者が操作レバー４１を操作した後に手袋を交換するなどの面倒な操作が不要になるので、接眼レンズ１２の視度調整の操作が行い易く、使用者に応じて適正な観察状態に迅速に調整することができ、手術時間を短縮するうえで大きな効果がある。
【００６４】
さらに、本実施の形態では視度調整用の操作レバー４１の操作時に接眼レンズユニット９のレンズホルダ１１を接眼レンズ１２の光軸方向に沿って平行移動させるようにしたので、視度調整時に接眼レンズ１２が回転することを防止することができる。例えば、撮像素子に撮像された略矩形状の像を接眼レンズ１２を介して観察する際には、接眼レンズ１２の断面形状が円形よりも矩形の方がより適している場合がある。つまり、図４に示すように、略矩形状の異形状レンズ５０を配設した場合である。この場合は、アイシェード２３も高さ調整後はレンズホルダ１１と一体的に接眼レンズ１２の光軸方向に沿って平行移動させることができるので、視度調整をしても各延設部５１は常に目の左右側方に位置することができる。
【００６５】
また、本実施の形態では接眼レンズ１２の視度調整時には操作レバー４１を接眼鏡筒８の周方向に沿って約１８０°程度回動する動作によって行われるので、視度調整用の操作つまみ１６を回転操作する場合に比べてその操作をさらに簡素化することができ、使いやすくすることができる効果がある。
【００６６】
さらに、本実施の形態ではアイシェード２３を接眼レンズ１２の光軸方向に沿って平行にスライド移動するアイシェード駆動機構６１を設けたので、アイシェード２３の高さ調整時にもアイシェード２３が接眼レンズ１２の軸回り方向に回転することを防止することができる。そのため、アイシェード２３の高さ調整時に左右のアイシェード２３の各延設部５１の位置が接眼レンズ１２の軸回り方向に回転することを防止することができる。
【００６７】
また、本実施の形態ではアイシェード２３の高さ調整用の操作つまみ６２はドレープ２９の装着部の内側に配置され、手術中にアイシェード２３の高さを調整する場合にはドレープ２９を介して操作つまみ６２に接触する状態で操作つまみ６２を回転操作するようになっているので、滅菌域の術者が非滅菌域の操作つまみ６２をドレープ２９の上から直接的に操作することができる。そのため、アイシェード２３の高さ調整時に術者が操作つまみ６２を操作した後に手袋を交換するなどの面倒な操作が不要になるので、アイシェード２３の高さ調整の操作が行い易く、使用者に応じて適正な観察状態に迅速に調整することができ、手術時間を短縮するうえで大きな効果がある。
【００６８】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  手術用顕微鏡に用いるための接眼レンズであって、変位部材と、該変位部材を移動させるための駆動手段と、該駆動手段からの動力を、前記変位部材に伝達するための伝達手段と、ドレープを固定するための固定部を有すると共に、前記駆動手段を、前記ドレープを手術用顕微鏡に装着した時に該ドレープの内側に位置する部位に設けたことを特徴とする手術用顕微鏡用の接眼レンズ。
【００６９】
（付記項２）  視度調整機構を有する手術用顕微鏡に用いるための接眼レンズにおいて、視度を変更するために変位される変位部材と、該変位部材を移動させるための駆動手段と、該駆動手段からの動力を、前記変位部材に伝達するための伝達手段とを有したことを特徴とする接眼レンズ。
【００７０】
（付記項３）  ドレープを固定するための固定部を有すると共に、前記駆動手段を、前記ドレープを手術用顕微鏡に装着した時に該ドレープの内側に位置する部位に設けたことを特徴とする付記項２に記載の接眼レンズ。
【００７１】
（付記項４）  前記駆動手段は、前記変位部材を、回転を伴わない直線運動によって変位させる手段であることを特徴とする付記項２に記載の接眼レンズ。
【００７２】
（付記項５）  アイシェード高さ調整機構を有する手術用顕微鏡に用いるための接眼レンズにおいて、視度を変更するために変位される変位部材と、該変位部材を移動させるための駆動手段と、該駆動手段からの動力を、前記変位部材に伝達するための伝達手段とを有したことを特徴とする接眼レンズ。
【００７３】
（付記項６）  ドレープを固定するための固定部を有すると共に、前記駆動手段を、前記ドレープを手術用顕微鏡に装着した時に該ドレープの内側に位置する部位に設けたことを特徴とする付記項５に記載の接眼レンズ。
【００７４】
（付記項７）  前記駆動手段は、前記変位部材を、回転を伴わない直線運動によって変位させる手段であることを特徴とする付記項５に記載の接眼レンズ。
【００７５】
（付記項８）  変位部材を移動させるための移動手段及び該移動手段を操作するための操作部材を備えた手術用顕微鏡に用いるための接眼レンズであって、ドレープを固定するための固定部を有すると共に、前記操作部材を、前記ドレープを手術用顕微鏡に装着した時に該ドレープの内側に位置する部位に設けたことを特徴とする手術用顕微鏡用の接眼レンズ。
【００７６】
（付記項９）  前記変位部材は視度を変更する手段であることを特徴とする付記項８に記載の手術用顕微鏡用の接眼レンズ。
【００７７】
（付記項１０）  前記変位部材はアイシェードの高さを変更する手段であることを特徴とする付記項８に記載の手術用顕微鏡用の接眼レンズ。
【００７８】
（付記項１１）  前記移動手段は、前記変位部材を、回転を伴わない直線運動によって変位させる手段であることを特徴とする付記項８に記載の接眼レンズ。
【００７９】
（付記項１〜９、１１の従来技術）  接眼レンズを保持する接眼レンズワクをヘリコイド等で構成し、それを回転させることで上下させており、そのためドレープの外に出る接眼レンズワクの先端部分を操作していた。
【００８０】
（付記項１〜９、１１が解決しようとする課題）  この場合、ドレープをかぶせた後では操作できず、術者が代わったときには調整操作後に手袋を交換しなければならなかった。
【００８１】
（付記項１〜９、１１の目的）  術中、接眼レンズの視度調整を滅菌状態を保ったまま操作可能とすることを目的とした。
【００８２】
（付記項１〜９、１１の効果）  ドレープの上から滅菌域の術者が操作できる。しかも、レバー式であり、簡単に。
【００８３】
（付記項１０の従来技術）  接眼レンズへの外光（不要）の入射を防ぐためのアイシェードは接眼レンズ上部に設けられており、接眼レンズに対して回転、もしくは上下移動させることで調整できる機構となっていた。
【００８４】
（付記項１０が解決しようとする課題）  視度補正同様、ドレープから出てしまう非滅菌域であったため、滅菌域の術者には操作できなかった。
【００８５】
（付記項１０の目的）  術中、滅菌状態にある術者がアイシェード調整を行えることを目的とする。
【００８６】
（付記項１０の効果）  ドレープの上から簡単に操作が可能。滅菌域の術者がそのまま行える。
【００８７】
【発明の効果】
請求項１の発明によれば、接眼部における視度調整や、アイシェードなどの操作が行い易く、使用者に応じて適正な観察状態に迅速に調整することができる。
【図面の簡単な説明】
【図１】  本発明の第１の実施の形態を示す手術用顕微鏡全体の概略構成を示す側面図。
【図２】  第１の実施の形態の手術用顕微鏡における接眼部を示す正面図。
【図３】  図２のIII−III線断面図。
【図４】  本発明の第２の実施の形態の手術用顕微鏡における接眼部を示す正面図。
【図５】  図４のＶ−Ｖ線断面図。
【図６】  本発明の第３の実施の形態の手術用顕微鏡における接眼部の縦断面図。
【図７】  （Ａ）は従来の手術用顕微鏡における接眼部の側面図、（Ｂ）は接眼部の接眼レンズや、アイシェードの長さ調整範囲の最も短い位置に移動させた状態を示す接眼部の縦断面図、（Ｃ）は接眼部の接眼レンズや、アイシェードの長さ調整範囲の最も長い位置に移動させた状態を示す接眼部の縦断面図。
【符号の説明】
１    手術用顕微鏡
５    鏡体（顕微鏡本体）
７    接眼部
１１    レンズホルダ（可動部材）
１２    接眼レンズ
１４    視度調整用ねじ（移動手段）
１６    操作つまみ（操作部）
１７    歯車機構（操作力伝達手段）
２３    アイシェード（可動部材）
【図１】
0003960746.tif 000002
【図２】
0003960746.tif 000003
【図３】
0003960746.tif 000004
【図４】
0003960746.tif 000005
【図５】
0003960746.tif 000006
【図６】
0003960746.tif 000007
【図７】
0003960746.tif 000008